(57)【要約】【課題】検査員によるブリーザホース先端部の固定を可能として、検査後の作業員によるホース先端部の固定作業を省略する。【解決手段】ブリーザホースの固定構造は、内部に潤滑油を収容するハウジング１０に基端部２０ａが接続されたブリーザホース２０の大気開放される先端部２０ｂをブラケット３０を介して固定する構造である。ブラケット３０がブリーザホース２０の先端部２０ｂを差し込むことにより先端部２０ｂを固定可能に構成されたことを特徴とする。ブラケット３０は、ブリーザホース２０の先端部２０ｂが遊挿可能な遊挿孔３１ａを有する本体３１と、遊挿孔３１ａに嵌着されて遊挿孔３１ａに遊挿されたブリーザホース２０の先端部２０ｂを保持するグロメット３２を備えることが好ましく、ブリーザホース２０の基端部２０ａ近傍のハウジング１０にブラケット３０を取付けることもできる。【選択図】  図１
2016094987.tif 000002
【特許請求の範囲】
【請求項１】
内部に潤滑油を収容するハウジング(10)に基端部(20a)が接続されたブリーザホース(20)の大気開放される先端部(20b)をブラケット(30)を介して固定するブリーザホースの固定構造において、
前記ブラケット(30)が前記ブリーザホース(20)の先端部(20b)を差し込むことにより前記先端部(20b)を固定可能に構成されたことを特徴とするブリーザホースの固定構造。
【請求項２】
ブラケット(30)は、ブリーザホース(20)の先端部(20b)が遊挿可能な遊挿孔(31a)を有する本体(31)と、前記遊挿孔(31a)に嵌着されて前記遊挿孔(31a)に遊挿された前記ブリーザホース(20)の先端部(20b)を保持するグロメット(32)を備える請求項１記載のブリーザホースの固定構造。
【請求項３】
ブリーザホース(20)の基端部(20a)近傍のハウジング(10)にブラケット(30)が取付けられた請求項１又は２記載のブリーザホースの固定構造。
【発明の詳細な説明】
【技術分野】
【０００１】
本発明は、例えば自動車のトランスミッションのハウジング等に設けられるブリーザホースを固定するブリーザホースの固定構造に関するものである。
【背景技術】
【０００２】
従来、自動車のエンジンが高回転の時には、そのトランスミッションでは、トランスミッションハウジング内の空気は暖められて膨張し、エンジンが高回転から低回転になった状態などでは、トランスミッションハウジング内の温度低下に伴って、トランスミッションハウジング内の空気は収縮する。
【０００３】
このようなハウジング内の圧力を調整するために、自動車のトランスミッションのハウジングには、従来からブリーザホースを取付けることが行われている。このブリーザホースは、トランスミッションハウジングの内部を外部に連通させるものであり、トランスミッションの状態に応じて、ハウジング内部の空気を外部へ吐出したり、外部の空気をハウジング内部に吸気したりする働きをしている。
【０００４】
このようなブリーザホースの従来における取付構造は、ブリーザホースの基端部をハウジングの上部に接続し、先端部を下向きの大気開放端として、その先端部をハウジング以外の他の部材にホース保持部材によって固定することが提案されている（例えば、特許文献１参照。）。この従来における取付構造では、ブリーザホースの固定位置に相当する先端部分に径方向に貫通した貫通孔を形成し、ホース保持部材が、その貫通孔に挿通される突起部を有し、その突起部が貫通孔に挿通されて、貫通孔が突起部によって封止されるとしている。
【０００５】
このように、この従来における取付構造では、大気開放端である先端部をホース保持部材によって固定することにより、ブリーザホースの基端部が接続されたハウジングと、ブリーザホースの先端部が固定された他の部材との間の位置ずれや振動の相違が生じても、ブリーザホースの先端部における位置ずれや脱落を防止しうるとしている。
【０００６】
一方、トランスミッションのハウジング内には、多くのギヤが収容されている。それゆえ、トランスミッションハウジング内には、これらのギヤを潤滑するための潤滑油が封入され、これらギヤの回転に伴ってその潤滑油（液体）を飛散させている。このため、トランスミッションにあっては、封入される潤滑油が漏れ出ないような気密性が要求され、このトランスミッションの組立てにあっては、そのハウジングに取付けられたブリーザホースの先端部を塞いで、その気密性を確認するための検査が行われる。
【先行技術文献】
【特許文献】
【０００７】
【特許文献１】特開２０１１−１８５４２１号公報
【発明の概要】
【発明が解決しようとする課題】
【０００８】
しかし、ブリーザホースの先端部は、雨天時の走行時にあっても水がかからないように、一般的に周辺部材が存在して水が届かないような隠れた場所に固定される。このため、トランスミッションの組立てにおいて、ブリーザホースの先端部をホース保持部材によってそのような隠れた場所に固定してしまうと、周辺部品に阻まれてホースの先端部に検査員の手が届かない状態となる。よって、検査前にブリーザホースの先端部を固定することをせず、検査後に作業員がその先端部をホース保持部材によって固定するような作業手順と成る。してみると、検査工程の前後に作業員による作業が存在することに成り、作業手順が複雑化して得られるトランスミッションの単価が押し上げられる不具合があった。
【０００９】
本発明の目的は、検査員によるブリーザホース先端部の固定を可能として、検査後の作業員によるホース先端部の固定作業を省略し得るブリーザホースの固定構造を提供するところにある。
【課題を解決するための手段】
【００１０】
本発明は、内部に潤滑油を収容するハウジングに基端部が接続されたブリーザホースの大気開放される先端部をブラケットを介して固定するブリーザホースの固定構造の改良である。
【００１１】
その特徴ある構成は、ブラケットがブリーザホースの先端部を差し込むことにより先端部を固定可能に構成されたところにある。
【００１２】
このブリーザホースの固定構造におけるブラケットは、ブリーザホースの先端部が遊挿可能な遊挿孔を有する本体と、その遊挿孔に嵌着されて孔に遊挿されたブリーザホースの先端部を保持するグロメットを備えることが好ましく、ブリーザホースの基端部近傍のハウジングにブラケットを取付けることが更に好ましい。
【発明の効果】
【００１３】
本発明のブリーザホースの固定構造では、ブラケットがブリーザホースの先端部を差し込むことによりその先端部を固定可能に構成するので、ブリーザホースの先端部を塞いで気密性検査を行った検査員が、その先端部をブラケットに差し込むことにより、その先端部を固定することができる。よって、気密性検査の後における作業員によるホース先端部の固定作業は不要と成り、作業手順が複雑化することに起因してトランスミッションの単価が押し上げられるようなことを回避することができる。
【００１４】
また、ブラケットが、本体の遊挿孔に嵌着されてその遊挿孔に遊挿されたブリーザホースの先端部を保持するグロメットを備えるようなものであれば、そのグロメットにブリーザホースの先端部を差し込むだけで、その先端部の外周とグロメットの内周との間に生じる摩擦によりその先端部をブラケットに固定することが可能になる。そして、ブリーザホースの基端部近傍のハウジングにブラケットを取付けるようにすれば、ブリーザホース自体の長さを比較的短いものとして、その配索を比較的容易にすることができる。
【図面の簡単な説明】
【００１５】
【図１】本発明実施形態のブリーザホースの固定構造を示す斜視図である。
【図２】図１のＡ−Ａ線断面図である。
【発明を実施するための形態】
【００１６】
次に、本発明を実施するための最良の形態を図面に基づいて説明する。
【００１７】
図１及び図２に示すように、本発明は、ハウジング１０に基端部２０ａが接続されたブリーザホース２０の大気開放される先端部２０ｂをブラケット３０を介して固定するブリーザホースの固定構造である。
【００１８】
ハウジング１０は、車両に搭載されてオイルが内蔵されるものであり、例えばエンジンやトランスミッション、トランスファなどがこれに相当する。
【００１９】
この実施の形態では、トランスミッションハウジング１０を例示し、このハウジング１０は、その天面側にブリーザ経路１１（図２）が形成され、そのブリーザ経路１１に連通するプラグ状の接続具１２（ブリーザプラグ）がハウジング１０に取付けられる。この接続具１２はブリーザホース２０の基端部２０ａが嵌着されるパイプ１２ａが設けられ、このパイプ１２ａがブリーザ経路１１に連通するように構成される。そして、この接続具１２のパイプ１２ａにブリーザホース２０の基端部２０ａが嵌着固定される。
【００２０】
ブリーザホース２０は、ハウジング１０内の圧力を大気開放とするとともに、発生したオイルミストの飛散を防止するために設けられるものであり、ハウジング１０の外部において配索の必要から、例えば、ゴム等の軟質の素材によって形成され、レイアウトなどの都合にあわせて適宜自由に湾曲させることができるものが用いられる。
【００２１】
ここで、ブリーザホース２０によって形成される経路を所望のものとするためには、少なくともブリーザホース２０のハウジング１０に接続される基端部２０ａ、及び開放される先端部２０ｂの２カ所においてブリーザホース２０を固定し、スラスト方向（ブリーザホース２０の長手方向）及びラジアル方向（ブリーザホース２０のねじれ方向）に移動しないようにする必要がある。言い換えれば、ブリーザホース２０の基端部２０ａ及び先端部２０ｂの２カ所を位置決め固定すれば、ブリーザホース２０によって形成される経路の形状や配置を所望のものとすることができる。
【００２２】
このように、ブリーザホース２０によって形成される経路を所望のものとするために、ブリーザホース２０は、所定の長さに切断されて準備され、ブリーザホース２０の基端部２０ａは、ハウジング１０に設けられた接続具１２に固定される。図では、その後の脱落を防止するために、パイプ１２ａに嵌着されたブリーザホース２０の基端部２０ａの外周を締結するクリップ１３で留められた状態を示す。その一方で、開放端となる先端部２０ｂは、次に詳述するブラケット３０によって、ブリーザホース２０の基端部２０ａ近傍のハウジング１０に固定される部分であり、その先端部２０ｂには、そのブラケット３０に差し込む目印２０ｃが印刷される。
【００２３】
ここで、ブリーザホース２０の先端部をハウジング１０に固定するブラケット３０は、ブリーザホース２０の先端部２０ｂを差し込むことによりその先端部２０ｂを固定可能に構成されたものであって、この実施の形態におけるブラケット３０は、ブリーザホース２０の先端部２０ｂが遊挿可能な遊挿孔３１ａを有する本体３１と、その遊挿孔３１ａに嵌着されてその遊挿孔３１ａに遊挿されたブリーザホース２０の先端部２０ｂを保持するグロメット３２を備える。
【００２４】
本体３１は、鋼板を板金加工することにより作られ、ハウジング１０にネジ止めされる取付部３１ｂと、その取付部３１ｂの端縁に上端が連続してクランク状を成す把持部３１ｃとを有し、この実施の形態では、その取付部３１ｂはブリーザホース２０の基端部２０ａ近傍のハウジング１０にネジ止めされる場合を示し、これにより、ブリーザホース２０の基端部２０ａ近傍のハウジング１０にブラケット３０が取付けられるものとする。そして、クランク状を成す把持部３１ｃにはブリーザホース２０の基端部より下方に位置する部位が形成され、この部位にブリーザホース２０の先端部２０ｂが遊挿可能な遊挿孔３１ａが形成されるものとする。
【００２５】
ハウジング１０の遊挿孔３１ａに嵌着されたグロメット３２は、ゴム等の弾性体から成るドーナツ状のものであって、その外周に遊挿孔３１ａの孔縁が侵入する凹溝３２ａ（図２）が全周に亘って形成される。このグロメット３２を遊挿孔３１ａに挿入して、その凹溝３２ａに遊挿孔３１ａの孔縁を進入させることによりグロメット３２は遊挿孔３１ａに嵌着され、その内径ｄは、ブリーザホース２０の外径Ｄより小さくなるように形成される（図２）。
【００２６】
従って、この実施の形態におけるブラケット３０は、そのグロメット３２にブリーザホース２０の先端部２０ｂをその外径Ｄが小さくなるように塑性変形させつつ、目印２０ｃの部分まで差し込むだけで、その外径Ｄを拡大させて復元させようとする先端部２０ｂの外周と、その外径Ｄの拡大を阻止しようとするグロメット３２の内周との間に生じる摩擦により、ブリーザホース２０の先端部２０ｂをブラケット３０に固定することになる。
【００２７】
次に、このようなブリーザホースの固定構造を有するトランスミッションの組立てについて説明する。
【００２８】
このトランスミッションの組立てにあっては、そのハウジング１０内に多くのギヤが収容され、組立ての終盤にあって、トランスミッションハウジング１０内には、これらのギヤを潤滑するための潤滑油が封入される。
【００２９】
ブリーザホース２０は、所定の長さに切断されて準備され、ハウジング１０に設けられた接続具１２のパイプ１２ａにブリーザホース２０の基端部２０ａを嵌着し、その後の脱落を防止するために、クリップ１３で留めて固定する。
【００３０】
ブリーザホース２０の基端部近傍のハウジング１０にはブラケット３０が取付けられる。このブラケット３０の取付けは、ブラケット３０における取付部３１ｂを、接続具１２に隣接するハウジング１０にネジ止めすることにより行われ、把持部３１ｃに形成された遊挿孔３１ａをブリーザホース２０の基端部２０ａより下方に位置させておく。
【００３１】
ハウジング１０の遊挿孔３１ａにはグロメット３２を嵌着させておく。この嵌着にあっては、グロメット３２を遊挿孔３１ａに挿入して、周囲に形成された凹溝３２ａに遊挿孔３１ａの孔縁を進入させる。これによりグロメット３２を遊挿孔３１ａに嵌着させる。
【００３２】
このように、ブリーザホース２０の基端部２０ａをハウジング１０に取付けるけれども、その先端部２０ｂは自由とさせておき、この状態で、作業員によるトランスミッションの組立てを終了させる。
【００３３】
一方、トランスミッションハウジング１０にあっては、封入される潤滑油が漏れ出ないような気密性が要求され、このようなトランスミッションの組立てが終了した段階で、その気密性を確認するための検査が行われる。
【００３４】
気密性検査は、それを専門とする検査員により行われ、その検査員はそのハウジング１０に取付けられたブリーザホース２０の先端部２０ｂをクリップ等の治具にて塞いで、内圧を上昇させ、その内圧の変化の有無を検出することにより、トランスミッションの気密性を検査する。
【００３５】
このような気密性検査が終了した後に、検査員は、ブリーザホース２０の先端部２０ｂを塞いでいたクリップ等の治具をその先端部２０ｂから外し、そのような治具が外されたブリーザホース２０の先端部２０ｂを目印２０ｃの部分までブラケット３０の遊挿孔３１ａに挿入させて、一連の検査工程を終了させる。
【００３６】
ここで、本発明のブリーザホースの固定構造では、ブラケット３０がブリーザホース２０の先端部２０ｂを差し込むことによりその先端部２０ｂを固定可能に構成するので、ブリーザホース２０の先端部２０ｂを塞いで気密性検査を行った検査員が、その先端部２０ｂをブラケット３０の遊挿孔３１ａに差し込むことにより、その先端部２０ｂは固定されることになる。よって、気密性検査の後における作業員によるホース先端部２０ｂの固定作業は不要と成り、作業手順が複雑化することは防止され、その複雑化に起因してトランスミッションの単価が押し上げられるようなことを回避することができる。
【００３７】
また、ブラケット３０が、本体３１の遊挿孔３１ａに嵌着されてその遊挿孔３１ａに遊挿されたブリーザホース２０の先端部２０ｂを保持するグロメット３２を備えるようなものであるので、そのグロメット３２にブリーザホース２０の先端部２０ｂを差し込むだけで、その先端部２０ｂの外周とグロメット３２の内周との間に生じる摩擦によりその先端部２０ｂをブラケット３０に固定することが可能になる。
【００３８】
また、ブリーザホース２０の先端部２０ｂには、ブラケット３０に差し込むための目印２０ｃを印刷して形成したので、検査員にその先端部２０ｂの挿入を行わせたとしても、その挿入量にばらつきを生じさせることはない。よって、挿入量の相違に基づく品質のばらつきは回避されることになる。
【００３９】
そして、ブリーザホース２０の先端部２０ｂをその基端部２０ａと同様にハウジング１０に取付けることにより、先端部２０ｂをハウジング１０と別の部材に取付ける従来に比較して、その基端部２０ａと先端部２０ｂとの間に位置ずれや振動の相違が生じるようなことはなく、その位置ずれや振動の相違によるブリーザホース２０の先端部２０ｂにおける位置ずれや脱落を防止することができる。
【００４０】
また、ブリーザホース２０の基端部２０ａ近傍のハウジング１０にブラケット３０を取付けるようにしたので、ブリーザホース２０自体の長さは比較的短いものととなり、検査員によるブリーザホース２０の配索を比較的容易にすることができる。
【符号の説明】
【００４１】
１０  ハウジング
２０  ブリーザホース
２０ａ  基端部
２０ｂ  先端部
３０  ブラケット
３１  本体
３１ａ  遊挿孔
３２  グロメット
【図１】
2016094987.tif 000003
【図２】
2016094987.tif 000004